(57)【特許請求の範囲】
【請求項１】
額の位置にて頭部の周りに装着される周長が調節可能な環状部及び該環状部の額に面する位置に水平な枢軸の周りに傾動調節が可能に装着された庇部を含む本体と、前記庇部に取り外し可能に装着されるレンズとの組み合わせよりなり、前記庇部はその先端位置とそれより手前の位置の少なくとも二つの異なる位置に前記レンズを取り外し可能に装着せしめるレンズ装着手段を備えており、前記レンズ装着手段に対する前記レンズの係合は、前記環状部に対する前記庇部の傾動の枢軸と平行な枢軸の周りに前記レンズが前記庇部に対し調節可能に傾動できる枢動型係合であり、前記本体一つに対し前記レンズとして焦点距離の異なる少なくとも二つのレンズを組み合わせてなる拡大鏡装置。
【発明の詳細な説明】
【０００１】
【発明の属する技術分野】
本発明は、拡大鏡に係り、特に額の位置にて頭部の周りに装着される環状部材により拡大レンズを眼前の位置に支持する型の拡大鏡装置に係る。
【０００２】
【従来の技術】
上記の如く額の位置にて頭部の周りに装着される環状部材により拡大レンズを眼前の位置に支持する基本構造を有する拡大鏡装置は既に幾つかのデザインにて市販されている。
【０００３】
【発明が解決しようとする課題】
これら公知の拡大鏡装置は、水中眼鏡や飛行眼鏡の如く両眼の周縁を覆うフードのついたゴーグルと総称される装置のグラスを凸レンズにしたものである。かかるゴーグル型拡大鏡は、側光を遮断し、対象物に視力を集中せしめる上では好ましいものであるが、通常の手仕事や読書の目的には鬱陶しく感じられるという不便がある。
【０００４】
本発明は、ゴーグル型拡大鏡装置の鬱陶しさがなく、これと同様に環状体にて頭部に装着され、眼前にレンズのみを簡便に支持し、しかも各人の好みや視る対象物の種類に応じて目とレンズの間の距離を少なくとも二種類に切り換えることができ、日常の種々の場面でより適切に且つ快適に使用できる拡大鏡装置を提供することを課題としている。
【０００５】
【課題を解決するための手段】
上記の課題を解決するものとして、本発明は、額の位置にて頭部の周りに装着される周長が調節可能な環状部及び該環状部の額に面する位置に水平な枢軸の周りに傾動調節が可能に装着された庇部を含む本体と、前記庇部に取り外し可能に装着されるレンズとの組み合わせよりなり、前記庇部はその先端位置とそれより手前の位置の少なくとも二つの異なる位置に前記レンズを取り外し可能に装着せしめるレンズ装着手段を備えており、前記レンズ装着手段に対する前記レンズの係合は、前記環状部に対する前記庇部の傾動の枢軸と平行な枢軸の周りに前記レンズが前記庇部に対し調節可能に傾動できる枢動型係合である拡大鏡装置を提案するものである。
【０００６】
かかる構成の拡大鏡装置によれば、その装着時に使用者は丁度日除けをつけたときのように額の位置に庇部がかざされた状態となり、且つ庇部の先端部にこれよりレンズのみが垂架された状態に置かれ、両眼の周りは全く解放された状態に保たれ、両眼の視線の位置にのみレンズが適度に保持された状態となる。又この状態で、目に対するレンズの位置は、環状部に対する庇部の傾動の調節と、庇部に対するレンズの傾動の調節と、庇部に設けられた少なくとも二つのレンズ装着手段のいずれを選んでレンズを装着するかの三種類の調節手段の組合せにより大きな自由度をもって調節できる。
【０００７】
上記の拡大鏡装置は、前記本体一つに対し前記レンズとして焦点距離の異なる少なくとも二つのレンズを組み合わせたものとされてよい。このように一つの本体に対し焦点距離の異なる少なくとも二つのレンズが用意されていることにより、拡大鏡装置の使用目的或いは使用状況に応じて焦点距離の異なるレンズを選択して用いることができ、更に又少なくとも二つの異なる位置に設けられたレンズ装着手段に同時に少なくとも二つのレンズを取り付けることにより、極めて微細な対象物を視るに適した高拡大率の拡大鏡装置をも得ることができる。
【０００８】
【発明の実施の形態】
以下に添付の図を参照して、本発明を実施例について詳細に説明する。
【０００９】
図１は本発明による拡大鏡装置の一つの実施例を示す一部断面よる側面図であり、これを下から見た底面図である図２の矢視線１−１による一部断面側面図である。又これを図１の矢視線３−３の方向に見た中心の要部が図３に示されている。これらの図に於いて、１００にて全体的に示されてるい装置が拡大鏡装置の本体であり、これとレンズ２００との組み合わせにより拡大鏡装置が構成されている。
【００１０】
本体１００は額の位置にて頭部の周りに装着される環状部１０と庇部１２とからなっている。庇部１２は環状部１０に対し額に面する位置にてボルト１４とナット１６とを含む枢着手段により水平な枢軸１８の周りに傾動位置の調節が可能なよう装着されている。環状部１０に対する庇部１２の傾動位置の調節は、ナット１６を僅かに弛め、庇部１２を所望の傾動位置にもたらした後、再びナット１６を締め付けることにより行える。環状部１０は比較的硬質で弾力のあるプラスチック材よりなる帯部材２０と、額に当たる部分にて帯部材２０の周りにそれを覆うよう装着された比較的柔らかいプラスチック材よりなる鞘部材２２と、帯部材２０を周長が調節可能な輪の状態に調節可能に保持するバックル装置２４とを含んでいる。
【００１１】
庇部１２には、その裏面に二対のクリップ要素２６が設けられている。これらのクリップ要素の各々は、図１によりよく示されている如く、途中に円形の拡大部を有する溝２８によって一対の挾み脚３０を呈するように形成された突起であり、硬質のプラスチック材により庇部１２の主要部と一体に射出成形により形成されている。庇部１２の裏面には更に各クリップ要素２６の外側にこれに近接してストッパ要素３２が同じく庇部１２の主要部と一体に形成されている。これら左右一対のクリップ要素２６とストッパ要素３２とは、図４に示されている如きレンズを図１及び図３に示されている要領にて庇部１２に取り付けるためのレンズ装着手段を構成している。
【００１２】
図２〜図４に示されている如く、レンズ２００は左右の眼に対する一対のレンズ部３４が一体に形成されたものであり、その上縁に沿った両端近くの二か所に一対の取り付け部３６が設けられている。この取り付け部３６は透明のプラスチック材によりレンズ部３４と一体に形成されているものであり、それぞれ一対の脚部３８とその間に橋渡しされた軸部４０とを含んでいる。
【００１３】
かかるレンズ２００を庇部１２に取り付けるには、図１に示されている如く、その一対の軸部４０がクリップ要素２６の一対の脚部３０間に保持されるよう、溝２８に沿ってこれを押し込めばよい。レンズ２００が一対のクリップ要素２６に丁度整合するようそれらの脚部３０間に押し込まれると、図３に示されている如く各取り付け部３６の外側に位置する脚部３８にストッパ要素３２が外側から近接し、レンズ２００が庇部１２に対し横方向にずれることを阻止する。
【００１４】
かくして図１及び図３に示されている状態にレンズ２００が庇部１２に対し装着されると、レンズは一対の軸部４０の中心軸線を結ぶ枢軸であって環状部１０に対する庇部１２の傾動の枢軸１８に対し平行な枢軸４２の周りにレンズ２００は庇部１２に対し傾動することができる。このときレンズの軸部４０はクリップ要素２６の一対の脚部３０間にこれら脚部の弾力性のもとに弾力的に押し挾まれた状態にあるので、軸部４０と脚部３０との間の係合部に於ける摩擦によってレンズ２００は庇部１２に対し任意の傾動位置に調節され又その調節位置に保持される。
【００１５】
図１に示されている状態に於いては、レンズ２００は庇部１２の先端部に設けられた一対のクリップ要素２６に装着されているが、レンズ２００は庇部１２の先端部より手前側に設けられている他の一対のクリップ要素２６に付け替えられてもよい。尚図２に於いては、レンズ２００は図示を明瞭にする目的で庇部１２より取り外された状態にて示されている。
【００１６】
図５はレンズ２００として焦点距離の異なる三つのレンズを用意した状態を示す。図示の通り、レンズ２００−１、２００−２、２００−３の順に焦点距離は短くなり、拡大鏡として使用されるときの拡大率が高くなるようになっている。図１〜図３に示されている如き本体の一つに対し、このように焦点距離の異なる複数個のレンズを組み合わせて用意しておくことにより、用途に応じて任意の焦点距離のレンズを選択して庇部１２のいずれかのクリップ要素２６に装着し、又必要に応じていずれか二枚を選んでそれらを同時に庇部１２の二対のクリップ要素２６に装着してよい。
【００１７】
以上に於ては本発明を一つの実施例について詳細に説明したが、かかる実施例について本発明の範囲内にて種々の修正が可能であることは当業者にとって明らかであろう。
【図面の簡単な説明】
【図１】本発明による拡大鏡装置の一つの実施例を図２に表示された矢視線１−１に沿って見た一部断面による側面図。
【図２】図１に示された拡大鏡装置のレンズを外した状態の底面図。
【図３】図１に示されている拡大鏡装置を図１の矢視線３−３により見た中央部のみの正面図。
【図４】図１〜３に示されているレンズを取り出した図。
【図５】レンズの種類を例示する断面図。
【符号の説明】
１０…環状部
１２…庇部
１４…ボルト
１６…ナット
１８…枢軸
２０…帯部材
２２…鞘部材
２４…バックル
２６…クリップ要素
２８…溝
３０…脚部
３２…ストッパ要素
３４…レンズ部
３６…取り付け部
３８…脚部
４０…軸部
１００…拡大鏡装置の本体
２００…拡大鏡装置のレンズ
【図１】
0003730724.tif 000002
【図２】
0003730724.tif 000003
【図３】
0003730724.tif 000004
【図４】
0003730724.tif 000005
【図５】
0003730724.tif 000006